(57)【要約】【課題】スライドシート等の大きなスライド量に対して、ワイヤハーネスを余長吸収可能に収容するケースの全長を短縮化する。【解決手段】ワイヤハーネス６を伸縮自在に収容する長形のケース２と、ケースの長手方向にスライド自在に設けられ、ワイヤハーネスをケースの外側に導出させるスライダ４と、ケースの外側に導出されたワイヤハーネス部分６ｂをスライダの移動端よりもさらにケース長手方向に移動した位置に導出させるように支持する余長吸収部５と、を備えるスライド給電装置１を採用する。余長吸収部５は、少なくとも底板部１３を有するサブケースである。スライダ４の移動方向におけるワイヤハーネス部分６ｂの両端部６ｇ，６ｈを同じ高さに配置した。【選択図】図１
2014161139.tif 000002
【特許請求の範囲】
【請求項１】
ワイヤハーネスを伸縮自在に収容する長形のケースと、該ケースの長手方向にスライド自在に設けられ、該ワイヤハーネスを該ケースの外側に導出させるスライダと、該ケースの外側に導出されたワイヤハーネス部分を該スライダの移動端よりもさらにケース長手方向に移動した位置に導出させるように支持する余長吸収部と、を備えることを特徴とするスライド給電装置。
【請求項２】
前記余長吸収部が、底板部を少なくとも有するサブケースであり、該サブケースに前記スライダがケース長手方向スライド自在に係合し、前記ケースの外側に導出されたワイヤハーネス部分が該サブケースに伸縮自在に配置されたことを特徴とする請求項１記載のスライド給電装置。
【請求項３】
前記スライダの移動方向における前記ワイヤハーネス部分の両端部が同じ高さに配置され、該ワイヤハーネス部分の拡縮動作でハーネス余長が吸収されることを特徴とする請求項１又は２記載のスライド給電装置。
【発明の詳細な説明】
【技術分野】
【０００１】
本発明は、例えば自動車のスライドシート等に適用されるロングスライド用のスライド給電装置に関するものである。
【背景技術】
【０００２】
従来、例えば自動車のスライドシート内の電装品や補機等に常時給電を行うために、種々のスライド給電装置が提案されている。
【０００３】
例えば特許文献１（図示せず）には、ロングスライド式のスライド給電装置として、横長のケース内にワイヤハーネスを略Ｕ字ないしＪ字状に屈曲させて余長吸収可能に配索し、ケース内でのワイヤハーネスの垂れ下がりや曲がりを防止するために、ケース内に設けたハーネス支持部材でワイヤハーネスを支持させ、ケースの一側に設けたスリットにスライダをスライド自在に係合させ、ワイヤハーネスの一端側をスライダから外部に導出させて、スライドドアやスライドシート等といったスライド構造体側にコネクタ接続し、ワイヤハーネスの他端側をケースの他側の開口から導出させて、車両ボディや車両フロア等といった固定構造体側にコネクタ接続することが記載されている。
【０００４】
また、特許文献２には、図７にその近似例を示すようなスライド給電装置が記載されている。このスライド給電装置３１の全長は特許文献１のスライド給電装置よりは短いが、ロングスライド用であることに変わりはない。なお、図７においては便宜上、スライド給電装置３１の可動部分を前後の移動端においてそれぞれ実線で示している（実際には一方が実線、他方が二点鎖線で示される）。
【０００５】
このスライド給電装置３１は、金属製の横長のケース３２と、ケース３２の上部に設けられたスリット３３を貫通し、且つケース３２の底部に設けられたレール（図示せず）にスライド自在に係合したスライダ３４と、スライダ３４の外側露出部に固定された可動ブロック３６と、可動ブロック３６に設けられた固定部（ブラケット）３５と、ケース３２内に略Ｕ字ないしＪ字状に屈曲して余長吸収可能に配索され、スライダ３４に一端側を固定され、ケース３２に他端側を固定された不図示のワイヤハーネスとを備えるものである。
【０００６】
ワイヤハーネスの一端側の部分はケース３２のスリット３３を経てスライダ３４から不図示のスライドシートに向けて導出されて、スライドシートの電装品や補機に接続され、ワイヤハーネスの他端側の部分はケース３２の後部開口３７から車両フロア側に導出されて、電源側の不図示のワイヤハーネスに接続される。
【０００７】
ケース３２のスリット３３は合成樹脂製のモール３８で狭められて、ケース３２内への塵等の侵入が防止されている。ケース３２は車両フロアの上に配置され、不図示のマットで覆われて隠される。乗員の足踏み等に対する剛性を高めるために、ケース３２の上壁（アッパケース）は凹凸状に形成されている。可動ブロック３６の固定部３５がスライドシートにねじ締め等で固定される。
【０００８】
スライドシートを最前進させた際に固定部３５がケース３２の前端側に位置し、スライドシートを最後退させた際に固定部３５がケース３２の後端側に位置する。図７において、固定部３５の前後方向の水平移動距離すなわちスライダ３４のスライド量を符号Ｌ７で示し、ケース３２の全長を符号Ｌ８で示している。
【０００９】
また、特許文献３（図示せず）には、長いスライダ移動部と短いハーネス収容部とを別体に形成してそれらの前端側を半円状のガイド部材で並列に連結してケースを構成し、スライダ移動部に配置したスライダにワイヤハーネスの一方を固定し、ハーネス収容部にワイヤハーネスの他方を略Ｕ字状に折り返して収容し、スライダをスライドシートに固定し、スライダ（シート）の移動に伴ってハーネス収容部内でワイヤハーネスを伸縮させて余長吸収することが記載されている。スライダ移動部に隣接して平行に、シート取付部をスライドさせるシート案内用のレールが設けられている。
【先行技術文献】
【特許文献】
【００１０】
【特許文献１】特開２００６−７４９８０号公報（図３）
【特許文献２】特開２００６−３５９６１号公報（図１〜図３）
【特許文献３】特開２０１０−１９３５９９号公報（図１〜図６）
【発明の概要】
【発明が解決しようとする課題】
【００１１】
しかしながら、上記従来の図７に示すスライド給電装置３１にあっては、スライドシート等といったスライド構造体のスライド量が大きくなればなる程、ケース３２の全長Ｌ８を長く設定する必要が生じ、フロアスペース等といった固定構造体側のスペース内でのケース３２すなわちスライド給電装置３１の搭載が困難になるという懸念があった。また、上記特許文献１におけるように、ケース内でのワイヤハーネスの垂れ下がりや有害な曲がりを防止するための手段を必要として、ケース内の構造が複雑化、高コスト化する懸念があった。
【００１２】
本発明は、上記した点に鑑み、スライドシート等のスライド構造体のスライド量が大きくても、ワイヤハーネスを余長吸収可能に収容するケースの全長を短くコンパクト化することのできるスライド給電装置を提供することを目的とする。
【課題を解決するための手段】
【００１３】
上記目的を達成するために、本発明の請求項１に係るスライド給電装置は、ワイヤハーネスを伸縮自在に収容する長形のケースと、該ケースの長手方向にスライド自在に設けられ、該ワイヤハーネスを該ケースの外側に導出させるスライダと、該ケースの外側に導出されたワイヤハーネス部分を該スライダの移動端よりもさらにケース長手方向に移動した位置に導出させるように支持する余長吸収部と、を備えることを特徴とする。
【００１４】
上記構成により、固定構造体側にケースが配置され、例えばスライド構造体側に余長吸収部が配置され、スライド構造体がケース長手方向に移動した際に、余長吸収部がスライド構造体と一体的に移動し、スライダがケースのスライド端に移動すると同時にあるいは移動の以前又は以後において、余長吸収部のハーネス導出部分が、ケースの外側に導出されたワイヤハーネス部分をスライダの移動端よりもさらにケース長手方向に移動（離間）した位置に導出させる。
【００１５】
これにより、ケースの全長が従来よりも短くても、従来と同じワイヤハーネスの移動ストロークを得ることができる。ケースの全長が従来と同じ場合は、従来よりも大きなワイヤハーネスの移動ストロークを得ることができる。ケースでワイヤハーネスの一次余長吸収が行われ、余長吸収部でワイヤハーネスの二次余長吸収が行われる。「ケース」を一次余長吸収部、「余長吸収部」を二次余長吸収部と呼称してもよい。
【００１６】
請求項２に係るスライド給電装置は、請求項１記載のスライド給電装置において、前記余長吸収部が、底板部を少なくとも有するサブケースであり、該サブケースに前記スライダがケース長手方向スライド自在に係合し、前記ケースの外側に導出されたワイヤハーネス部分が該サブケースに伸縮自在に配置されたことを特徴とする。
【００１７】
上記構成により、スライド構造体がケース長手方向に移動した際に、余長吸収部であるサブケースがスライド構造体と一体的に移動し、スライダがケースのスライド端に移動すると同時にあるいは移動の以前又は以後において、サブケースのハーネス導出部分（例えば開口）が、ケースの外側に導出されたワイヤハーネス部分をスライダの移動端よりもさらにケース長手方向に移動（離間）した位置に導出させる。サブケースはワイヤハーネス部分を垂れ下がりなく支持するための底板部が少なくともあればよく、上板部があればワイヤハーネスの上方への反りや浮き上がりを防止でき、底板部の周囲の周壁部があればワイヤハーネスの側方への不要な飛び出しをも防止できる。
【００１８】
請求項３に係るスライド給電装置は、請求項１又は２記載のスライド給電装置において、前記スライダの移動方向における前記ワイヤハーネス部分の両端部が同じ高さに配置され、該ワイヤハーネス部分の拡縮動作でハーネス余長が吸収されることを特徴とする。
【００１９】
上記構成により、ワイヤハーネス部分の周方向の捩れが防止されて、ワイヤハーネスの耐久性が向上する。
【発明の効果】
【００２０】
請求項１記載の発明によれば、ケースでワイヤハーネスの一次余長吸収を行い、余長吸収部でワイヤハーネスの二次余長吸収を行うことで、ワイヤハーネスの一次余長吸収と二次余長吸収との総和の余長吸収量を得ることができるから、スライドシート等のスライド構造体のスライド量が大きくても、ワイヤハーネスを余長吸収可能に収容するケースの全長を短くコンパクト化することができる。これにより、例えば車両のスライドシート等といったスライド構造体への常時給電を行わせるためのケースを、車両フロア等といった固定構造体に他部品等との干渉等なく省スペースで組み付けることができる。また、従来のロングスライド式の給電装置におけるケース内のワイヤハーネスの垂れ下がりや屈曲を防止するための手段が不要となり、ケースを簡素化、低コスト化することができる。
【００２１】
請求項２記載の発明によれば、余長吸収部として少なくとも底板部を有するサブケースを用いることで、ケースの外側に導出されたワイヤハーネス部分を垂れ下がりなく安定に支持して、サブケースにおけるワイヤハーネス部分の余長吸収をスムーズ且つ確実に行わせることができる。
【００２２】
請求項３記載の発明によれば、ワイヤハーネス部分の周方向の捩れを防止して、ワイヤハーネスの耐久性を高めて、常時給電の信頼性を高めることができる。
【図面の簡単な説明】
【００２３】
【図１】本発明に係るスライド給電装置の一実施形態を示す斜視図である（可動部分は前後の移動端において便宜上実線で示している）。
【図２】同じくスライド給電装置を示す側面図である。
【図３】本発明に係るスライド給電装置の一変形例を示す斜視図である。
【図４】同じくスライド給電装置を示す平面図である。
【図５】図４の矢視Ａ背面図である。
【図６】本発明に係るスライド給電装置の他の変形例を示す概略平面図である。
【図７】従来のスライド給電装置の一形態を示す斜視図である。
【発明を実施するための形態】
【００２４】
図１〜図２は、本発明に係るスライド給電装置の一実施形態を示すものである。各図においてはスライド給電装置の可動部分を前後の移動端において便宜上実線で示している。
【００２５】
このスライド給電装置１は、金属製の横長のケース（メインケース）２と、ケース２の一側寄りのスリット（開口）３に沿ってスライド移動するスライダ（可動部分）４と、スライダ４に連結固定されて、ケース２の上側に進退可能に配置される合成樹脂製のサブケース（可動部分）５と、ケース２内に略Ｕ字ないしＪ字状に余長吸収可能に屈曲配索され、スライダ４に長手方向中間部６ａを固定し、一端側６ｂをスライダ４からサブケース５内に伸縮可能（余長吸収可能）に配索し、他端側（図示せず）をケース２の他側の後部開口７から導出させるワイヤハーネス６と、を備えたものである。
【００２６】
ケース２は図７の従来のケースと比べて形状において類似しているが、ケース２の全長（図２）は従来のケースの全長（図７）よりも短く設定されている。ケース２内のみならずサブケース５内においてもワイヤハーネス６の余長を吸収することで、ケース２の全長が短く規定されている。
【００２７】
本例において、ケース２は、自動車のフロア８側（取付側）に水平に且つ車両の前後方向にケース２の長手方向を一致させて配置固定され、サブケース５は、不図示のスライドシート側に水平に配置されて、サブケース５と一体の固定部９ないしサブケース５に固定された別体の固定部（９）でスライドシートに固定される。ケース２はその周囲等における孔１０に不図示のボルトないし係止クリップを挿通して車両フロア８に固定される。ケース２の水平な上壁１１は足踏みに対する剛性を高めるための凹凸形状部１１ａを有する。
【００２８】
各図において向かって右側が車両前側、向かって左側が車両後側である。ケース２は一側方のスリット３を有する部分２ａが後方に長く形成され（後方延長部を符号１２で示す）、他側方の部分２ｂが少し短く形成されている。ケース２の内部空間において一側から他側にかけてワイヤハーネス６が略Ｕ字ないしＪ字状に屈曲配索されている。
【００２９】
スライダ４がサブケース５と一体にケース２に沿って前進端（図で右端）に移動した際に、ケース２の前端部分２ｃの内側にワイヤハーネス６の不図示のＵターン部分（屈曲部分）が位置し、スライダ４がサブケース５と一体にケース２に沿って後進端（図で左端）に移動（後退）した際に、ワイヤハーネス６の不図示のＵターン部分（屈曲部分）はケース２の前端部２ｃから中間部まで後退する。
【００３０】
なお、ケース２内におけるワイヤハーネスの配索形態は必要に応じて適宜設定可能である。例えば、上記特許文献３（特開２０１０−１９３５９９号公報）に記載されたように、ケース２の長い一側部２ａ内のワイヤハーネス部分をスライダ４に固定して伸縮可能に配索し、ケース２の短い他側部２ｂ内のワイヤハーネス部分を略Ｕ字状に折返し屈曲させて伸縮可能に配索することも可能である。これについては図６で詳述する。
【００３１】
ケース２の一側方のスリット３の上方に対向してサブケース５の底壁１３の一側に前後方向のスリット（開口）１４が設けられ、スライダ４の垂直部（符号４で代用するハーネス案内部）がケース２のスリット３からサブケース５のスリット１４を貫通し、各スリット３，１４に沿って移動自在に位置している。すなわち、スライダ４の垂直部はケース２のスリット３に沿って移動し、それと同時にあるいはそれとは独立してサブケース５のスリット１４に沿って移動自在である。
【００３２】
本例のスライダ４の垂直部は前後の壁部４ａ，４ｂと一側方の壁部４ｃとで横断面略コの字状に形成されている。ケース２のスリット３は、例えばケース２の一側壁２ｄの垂直な内面２ｄ’と一側方の長い部分２ａの垂直な内面との間に形成され、一側壁２ｄの内面２ｄ’は、スライダ４の垂直部の一側方の壁部４ｃに対するガイド面として作用し、一側方の長い部分２ａの垂直な内面は、ケース２内のワイヤハーネス６に対するガイド面として作用する。スライダ４の不図示の底部側の水平部は、ケース２のスリット３の下側ないしその近傍の不図示のガイドレールにスライド自在に係合している。ケース２やスライダ４の構成は従来の特許文献２の構成と同様である。
【００３３】
スライダ４の垂直部に沿ってケース２からサブケース５内にワイヤハーネス６が挿通案内され、サブケース５内のワイヤハーネス部分６ｂは、スライダ４の垂直部の上側の側部開口４ｄから略ループ状に屈曲してサブケース５の後端側の一側方の開口（ハーネス導出部）１５からスライドシート側に配索されている。
【００３４】
本例のサブケース５は、サブケース本体５ａと上側の鎖線で示すカバー部５ｂとで構成され、ケース（メインケース）２の長手方向にやや横長の略矩形状（正確には略六角形状）に形成されている。サブケース本体５ａは、水平な底壁（底板部）１３と垂直な前後左右の周壁１６とを備え、底壁１３の一側方にスリット１４が設けられ、スリット１４の一側方の垂直な側壁（周壁の一部）１６ａの内面に沿ってスライダ４の垂直部がスライド自在に案内されている。周壁１６は、ケース長手方向に沿う真直な一側壁１６ａと、前後の壁部１６ｂ，１６ｃと、他側壁をなす前側の長い傾斜壁１６ｄと後側の短い傾斜壁１６ｅと両傾斜壁を繋ぐ短い真直壁１６ｆとで成る。
【００３５】
サブケース本体５ａの一側壁１６ａの後端において固定部９がスリット１４の後端を塞ぐように上向きに立設されている。固定部９はスライダ４に対する当接用ストッパとして作用可能である。固定部９は例えばスライドシートに対する位置決めピン９ａと固定用のボルト挿通孔９ｂ又は孔９ｂ内のナットを有する。サブケース本体５ａの垂直な後壁（周壁の一部）１６ｃの一側端にハーネス導出用の開口（ハーネス導出部）１５が設けられ、サブケース５内のワイヤハーネス部分６ｂは開口１５から固定部９の後側を通ってスライドシート側に導出される。
【００３６】
サブケース本体５ａの底壁１３の下面の一側方には、底壁１３のスリット１４に連通して深いスリットをなす横長の枠状部１７（図２）が一体に設けられている。枠状部１７はサブケース５を嵩上げするためのものであり、例えば不図示のスライドシートが低い場合は不要である。
【００３７】
サブケース５のカバー部５ｂは、係止手段等でサブケース本体５ａに固定され、サブケース５内のハーネス収容空間を覆って、ハーネス収容空間内のワイヤハーネス部分６ｂの浮き上がりや外部との干渉等を防いでいる。本例のカバー部５ｂの一側方はスリット状に開口され、その側部開口１８を経てスライダ４の垂直部からワイヤハーネス部分６ｂがサブケース本体５ａ内に導入されている。
【００３８】
サブケース５内のワイヤハーネス部分６ｂはサブケース本体５ａの底壁１３の水平な上面に沿って伸縮可能に配索されている。各図の左側の図示のように、不図示のスライドシートを後退させてサブケース５がケース２に沿ってスライドシートと一体に後退端まで移動した際に、スライダ４の垂直部はケース２のスリット３の後端に移動して停止し、スライダ４の垂直部に対してサブケース５のスリット１４が後方にスライド移動して、スライダ４の垂直部とサブケース５の固定部９との間の水平距離Ｌ１（図２）が最大となる（固定部９がスライダ４から後方に大きく離間する）。その際、サブケース５内のワイヤハーネス部分６ｂは前後方向に略横長ループ状に伸長する。
【００３９】
すなわち、サブケース５内のワイヤハーネス部分６ｂはスライダ４の垂直部から前方に導出されつつ略Ｕ字状に後方に折り返されて（折返し部を符号６ｃで示す）真直に伸び（真直部を符号６ｄで示す）、サブケース５の後壁１６ｃに沿って後部の開口１５からスライドシート側に導出される。
【００４０】
水平なサブケース５内においてスライダ４側のワイヤハーネス部分６の端部６ｇと後部開口１５側のワイヤハーネス部分６の端部６ｈとは、前後方向すなわちスライド軸方向の仮想直線上において、同じ高さに位置する。これは、ケース２の前端側に移動したサブケース５内のワイヤハーネス部分６ｂにおいても同様である。そして、ケース２に沿うサブケース５の前後方向移動に伴って、サブケース５内でワイヤハーネス部分６ｂが屈曲による縮径・拡径の動作のみでハーネス余長を吸収する。これらによって、サブケース５内のワイヤハーネス部分６ｂ及びサブケース５からスライダ４側や後部開口１５側に導出されたワイヤハーネス部分の周方向の捩れが防止されて、ワイヤハーネス６の耐久性が高まる。
【００４１】
サブケース５内のワイヤハーネス部分６ｂは例えばスライダ４の垂直部とサブケース５の後部の開口１５とにおいて結束バンド等で固定されている。サブケース５内及びケース２内のワイヤハーネス部分６は、複数本の絶縁被覆電線を例えば合成樹脂製の屈曲性の良好なコルゲートチューブ等といった保護チューブで覆って構成されている。スライダ４の垂直部に沿う縦方向のワイヤハーネス部分６ａは保護チューブを用いずに複数本の電線を露出させている。
【００４２】
また、各図の右側の図示のように、スライドシートを前進させてサブケース５がスライドシートと一体にケース２に沿って前進端に移動した際に、スライダ４の垂直部はケース２のスリット３の前端に移動して停止し、スライダ４の垂直部に対してサブケース５のスリット１４が前方にスライド移動して、スライダ４の垂直部とサブケース５の固定部９との間の水平距離Ｌ２（図２）が最小となる（例えばスライダ４の垂直部の後壁４ｂが固定部９の前面に当接する）。その際、サブケース５内のワイヤハーネス部分６ｂはサブケース５の後半において前後方向に略円形のループ状に圧縮される。
【００４３】
すなわち、サブケース５内のワイヤハーネス部分６ｂはスライダ４の垂直部から前方に導出されつつ略円弧状に後方に湾曲して（湾曲部を符号６ｂで代用する）、サブケース５の後壁１６ｃに沿って後部の開口１５からスライドシート側に導出される。
【００４４】
このように、図２において、サブケース５のほぼスリット１４の長さの分だけ、すなわちサブケース４のスリット１４に沿うスライダ４のストローク量Ｌ４の分だけ、図７の従来例に比べてケース２のスリット３すなわちケース２の全長Ｌ６を短縮することができ、これによりケース２が長手方向にコンパクト化される。固定部９すなわちスライドシートの全ストローク量Ｌ３は、スライドシート側におけるストローク量Ｌ４すなわちサブケース５のスリット１４に沿うスライダ４のストローク量と、車両フロア側におけるストローク量Ｌ５すなわちケース２のスリット３に沿うスライダ４のストローク量との総和となる。
【００４５】
スライドシートの前進時すなわちサブケース５の前進時にサブケース５の前端１６ｂはケース２の前端よりも前方に突出するが、サブケース５はスライドシート側に配置されるので、短縮化されたケース２による車両フロア８のケース取付部の省スペース化を何ら阻害するものではない。ケース２の全長Ｌ６を図７の従来例と同じにした場合は、固定部９すなわちスライドシートの前後ストロークＬ３（図２）を従来よりも増大させることができる。
【００４６】
スライドシートの進退動作の際に、スライダ４がケース２のスリット３に沿って移動し、スリット３の前端又は後端までスライダ４が移動した後、サブケース５がスライダ４の垂直部に沿って進退動作するか、あるいは、スライダ４がケース２のスリット３に沿って進退移動すると同時に、サブケース５がスライダ４の垂直部に沿って進退動作するかは、どちらであってもよい。
【００４７】
図３〜図５は、上記サブケース５の変形例（サブケース５’）を備えたスライド給電装置１’を示すものである。
【００４８】
図１〜図２のスライド給電装置１に比べて、サブケース５’を前後反転してケース２側のスライダ４に組み付けている。ケース２やケース２内のワイヤハーネス部分やスライダ４の構造は図１〜図２におけると同様であり、図１〜図２と同じ構成部分には同じ符号を付して詳細な説明を省略する。サブケース５’はサブケース本体のみを図示し、カバー部は図示ないし使用を省略（廃止）している。サブケース５’等の可動部分は前後の移動端において便宜上実線で図示している。
【００４９】
図３，図４の如く、サブケース５’は、水平な底壁１３と、垂直な周壁１６をなす長辺側の前壁１６ｃと短辺側の後壁１６ｂと真直な低い一側壁１６ａと傾斜状の他側壁１６ｄと、壁部１６ｃ，１６ｄを繋ぐ湾曲壁１６ｆとで略矩形状（略四角形状）に形成されている。本例の一側壁１６ａの上端は底壁１３の上面と同じ高さに位置し、底壁１３の一側方のスリット１４は下側の枠状部１７（図５）のスリットに連通している。前壁１６ｃの一側方に固定部９が立設されている。固定部９は位置決めピン９ａと固定用のナット９ｂとを有する。
【００５０】
スライダ４の垂直部（ハーネス案内部）からサブケース５’内に導入されたワイヤハーネス部分６ｂはサブケース５’の前壁１６ｃに沿ってスライドシート側に導出されている（導出されたハーネス部分を符号６ｅで示す）。各図の左側の図示の如く、サブケース５’をスライドシートと一体に最後退させた際に、スライダ４がケース２のスリット３の後端に移動し、サブケース５’はスリット３内のスライダ４の垂直部に沿ってさらに後退する。
【００５１】
スライダ４の垂直部はサブケース５’のスリット１４の前端に位置し、スライダ４の垂直部からサブケース５’内に導入されたワイヤハーネス部分６ｂはサブケース５’の前半において前後方向に圧縮されて略Ｕ字状に屈曲しつつ折り返された部分６ｆ（図４）がサブケース５’の前壁１６ｃに沿って前部の開口１５から外部に導出される。
【００５２】
また、各図の右側の図示の如く、サブケース５’をスライドシートと一体に最前進させた際に、スライダ４がケース２のスリット３の前端に移動し、サブケース５’はスリット１４内のスライダ４の垂直部に沿ってさらに前進する。スライダ４の垂直部はサブケース５’のスリット１４の後端に位置し、スライダ４の垂直部からサブケース５’内に導入されたワイヤハーネス部分６ｂは前後方向に略横長凹字状に伸長して前部の開口１５から外部に導出される。
【００５３】
このように、サブケース５’のほぼスリット１４の長さの分だけ、すなわちサブケース５’のストローク量の分だけ図７の従来例に比べてケース２のスリット３すなわちケース２の全長を短縮することができ、ケース２が長手方向にコンパクト化される。サブケース５’の固定部９すなわちスライドシートの全ストローク量は、ケース２のスリット３に沿うスライダ５のストローク量と、スライダ５に沿うサブケース５’のストローク量との総和となる。ケース２の全長を図７の従来例と同じにした場合は、固定部９すなわちスライドシートのストローク量を従来よりも増大させることができる。これらは図１，図２の実施形態におけると同様である。
【００５４】
図４の如く、サブケース５’内のワイヤハーネス部分６ｂは複数本の電線を保護チューブ（符号６ｂで代用）で覆って構成され、保護チューブの前側の端部から電線部分６ｅが露出されてスライドシート側に導出され、保護チューブの後側の端部から電線部分６ａが露出されてスライダ４側に導出されている。
【００５５】
図３の如く、ケースの前端側に移動したサブケース５内において、スライダ４側のワイヤハーネス部分６の端部６ｇと前部開口１５側のワイヤハーネス部分６の端部６ｈとは、前後方向すなわちスライド軸方向の仮想直線上において、同じ高さに位置する。これは、ケース２の後端側に移動したサブケース５内のワイヤハーネス部分６ｂにおいても同様である。そして、サブケース５の前後方向移動に伴って、サブケース５内でワイヤハーネス部分６ｂが屈曲による縮径・拡径の動作のみでハーネス余長を吸収する。これらによって、サブケース５内のワイヤハーネス部分６ｂ及びサブケース５からスライダ４側や前部開口１５側に導出されたワイヤハーネス部分６ａ，６ｅの周方向の捩れが防止されて、ワイヤハーネス６の耐久性が高まる。
【００５６】
図５（図４の矢視Ａ背面図）の如く、サブケース５’はケース２の上側に対向して平行に配置され、サブケース５’の他側端１６ｆはケース２の他側端２ｂよりも少し外側に突出している。ケース２の一側方のスリット３からスライダ４の垂直部が立ち上げられてサブケース５’の下側の枠状部１７を貫通し、スライダ４の垂直部の上端側からワイヤハーネス部分６ｂがサブケース５’内に水平に導入されている。
【００５７】
図６は、上記ケース２の変形例（ケース２２）を備えたスライド給電装置２１を概略的に示すものである。
【００５８】
このケース２２は、上記従来の特許文献３（特開２０１０−１９３５９９号公報）に記載されたのと同様のものであり、長く幅狭なスライダ移動部２３と短く幅広なハーネス収容部２４とを別体に形成して並列に配置し、前端側をハーネス収容部２４の略半円状のガイド部２４ａで相互に連結（連通）させたものである。
【００５９】
スライダ移動部２３とハーネス収容部２４は金属材又は合成樹脂材で形成される。ケース２２は車両フロア２５に水平に且つ車両前後方向にケース長手方向を一致させて配置される。図６で右側が車両前側である。スライダ移動部２３に隣接してシート案内用のレール２６が車両フロア２５に設けられる。図１，図３の例においてもケース２と平行にシート案内用のレール（２６）が配置される。
【００６０】
スライダ移動部２３の横長のスリット２３ａに沿ってスライダ２７がスライド自在に設けられ、スライダ２７に図１の実施形態におけると同様の（図３の実施形態におけると同様でもよい）サブケース５が固定されて、ケース２２の上側において前後方向移動自在に配置されている。
【００６１】
ワイヤハーネス２８の一方の部分はスライダ２７に固定されてケース２２のスライダ移動部２３からスライダ２７を経て上側のサブケース５に導入され（サブケース内のワイヤハーネス部分を符号２８ｂで示す）、サブケース５の後端側から不図示のスライドシート側に配索されている。ワイヤハーネス２８の他方の部分は、スライダ２７からケース２２の前端側のガイド部２４ａに沿って円弧状に屈曲しつつハーネス収容部２４内に後端側を略Ｕ字状に折り返した（屈曲した）状態で収容され（折返し部を符号２８ｃで示す）、折り返された部分２８ｄが前端の不図示の開口から車両フロア２５側（電源側）に導出されている。
【００６２】
スライダ２７がシートと一体にケース２２のスライダ移動部２３の前端側に移動しつつ、サブケース５が実線の如くスライダ２７から前方にスライド移動して、サブケース５内のワイヤハーネス部分２８ｂが前後方向に圧縮されてサブケース５の後部側に位置する。この際、ケース２２のハーネス収容部２４内にワイヤハーネス２８が多く収容される。
【００６３】
また、スライダ２７がシートと一体にケース２２のスライダ移動部２３の後端側に移動しつつ、サブケース５が鎖線の如くスライダ２７から後方にスライド移動して、サブケース５内のワイヤハーネス部分２８ｂがサブケース５の前端から後端にかけて前後方向に伸長される。この際、ケース２２のハーネス収容部２４内のワイヤハーネス２８はスライダ２７に引かれて前端のガイド部２４ａに沿ってスライダ移動部２３内に繰り出される。
【００６４】
なお、上記した図３〜図５の実施形態におけるサブケース５’を左右対称に形成したものを図１〜図２のサブケース５として用いることも可能である（この場合、図３〜図５のサブケース５’の前壁１６ｃを図１〜図２のサブケース５の後壁１６ｃとして配置する）。
【００６５】
また、上記図１〜図２の実施形態において、サブケース５のカバー部５ｂを排除してサブケース本体５ａのみでサブケース５を構成することも可能である。図１〜図２及び図３〜図５の実施形態において、サブケース本体５ａのみを使用する場合は、水平な底壁（底板）１３のみを形成してもよく（周壁１６は形成しなくてもよい）、水平な底壁（底板）１３でワイヤハーネス部分６ｂの垂れ下がりを防止することができる。また、上側のカバー部５ｂとして、水平な上壁（天板）のみを形成してもよく（カバー部５ｂの周壁は形成しなくてもよい）、上壁（天板）でワイヤハーネス部分６ｂの上方への反りや浮き上がりを防止することができる。
【００６６】
また、サブケース５，５’や水平な底壁（底板）１３や上壁（天板）を用いずに、例えばワイヤハーネス部分６ｂの長手方向の一部を吊り下げるための不図示の引っ掛けピン（フック）を例えばスライドシートの底部側に設けることも可能である。要は、ワイヤハーネス部分６ｂが他部品（上側のスライドシートや下側のケース２ないし車両フロア８等）と干渉しないための余長吸収空間が下側（フロア側）のケース２と上側のスライドシートとの間に設けられればよい。
【００６７】
この場合においても、図１，図３の例と同様に、スライダ４側のワイヤハーネス部分６の端部６ｇと後部側ないし前部側のワイヤハーネス部分６の端部６ｈとを、前後方向すなわちスライド軸方向の仮想直線上において、同じ高さに配置することで、スライドシートの進退動作に伴って、ワイヤハーネス部分６ｂを屈曲による縮径・拡径の動作のみでハーネス余長吸収させることが好ましい。これによって、ワイヤハーネス部分６ｂの周方向の捩れを防止して、ワイヤハーネス６の耐久性を高めることができる。
【００６８】
また、上記各実施形態においては、スライド給電装置１，１’を自動車のスライドシートに適用した例で説明したが、自動車以外の車両ないし装置や設備等のスライドシートや、スライドシート以外のスライドドア等といったスライド構造体に上記スライド給電装置１，１’を適用することも可能である。この場合、スライド構造体は例えば車両フロア８や車両ボディ等といった固定構造体に対してスライド可能に設けられる。
【産業上の利用可能性】
【００６９】
本発明に係るスライド給電装置は、スライドシート等のスライド構造体の大きなスライド量に対して、ワイヤハーネスを余長吸収可能に収容するケースの全長を短くコンパクト化するために利用することができる。
【符号の説明】
【００７０】
１，１’，２１  スライド給電装置
２，２２        ケース
４，２７        スライダ
５，５’        サブケース（余長吸収部）
６，２８        ワイヤハーネス
６ｂ，２８ｂ    ワイヤハーネス部分
１３            底板部
【図１】
2014161139.tif 000003
【図２】
2014161139.tif 000004
【図３】
2014161139.tif 000005
【図４】
2014161139.tif 000006
【図５】
2014161139.tif 000007
【図６】
2014161139.tif 000008
【図７】
2014161139.tif 000009